(57)【要約】      （修正有）【課題】補修起工時において補修が必要である補修箇所を正確に特定可能にする。【解決手段】本発明の標高差検知方法は、既知点に設置された３次元走査装置から照射されるレーザ光により、補修起工時における路面の所定領域内の各点について３次元座標化された点群データを取得する点群データ取得ステップと、所定領域を補修する際の補修計画面を示す計画面データを取得する基準面データ取得ステップと、点群データ取得ステップで取得された点群データと基準面取得ステップで取得された計画面データとに基づいて、所定領域内の同一の平面位置ごとに標高差を算出する標高差算出ステップとを備える。【選択図】図１
2020204601.tif 000002
【特許請求の範囲】
【請求項１】
既知点に設置された３次元走査装置から照射されるレーザ光により、補修起工時における路面の所定領域内の各点について３次元座標化された点群データを取得する点群データ取得ステップと、
前記所定領域を補修する際の補修計画面を示す計画面データ、前記所定領域が新設されたときの路面データ、及び、前記所定領域が補修されたときの路面データの何れかを基準面データとして取得する基準面データ取得ステップと、
前記点群データ取得ステップで取得された点群データと前記基準面データ取得ステップで取得された基準面データとに基づいて、前記所定領域内の同一の平面位置ごとに標高差を算出する標高差算出ステップとを備えることを特徴とする路面の標高差検知方法。
【請求項２】
前記点群データ取得ステップで取得された点群データに基づいた３次元画像を表示部に表示する画像表示ステップと、
前記標高差算出ステップで算出された標高差の大きさに応じた色を、前記所定領域内の同一の平面位置ごとに決定する第１色決定ステップと、
前記画像表示ステップにより表示された３次元画像に対し、前記第１色決定ステップで決定された色を追加して前記所定領域における標高差を表示する第１標高差色表示ステップとを備えることを特徴とする請求項１に記載の標高差検知方法。
【請求項３】
前記点群データ取得ステップで取得された点群データに基づいた３次元画像を表示部に表示する画像表示ステップと、
前記画像表示ステップにより表示された３次元画像に対し、前記標高差算出ステップで算出された標高差の大きさに応じて前記所定領域内の標高差が同一である部分を示す線を表示する標高差線表示ステップとを備えることを特徴とする請求項１または２に記載の標高差検知方法。
【請求項４】
前記第１標高差色表示ステップまたは前記標高差線表示ステップにより前記所定領域における標高差が前記表示部に表示された状態で、前記所定領域内にある所定位置を指定する指定ステップと、
前記指定ステップにより所定位置が指定された場合に、その所定位置における標高差を示す数値及び所定位置近傍において同一の標高差である部分を示す線で囲まれた領域の面積を示す数値の少なくとも一方を前記表示部に表示する数値表示ステップとを備えることを特徴とする請求項２または３に記載の標高差検知方法。
【請求項５】
前記所定領域内の同一の平面位置ごとに、前記標高差算出ステップで算出された標高差の大きさと所定値とを比較する比較ステップと、
前記比較ステップでの比較結果に基づいて、前記標高差の大きさが所定値より大きい平面位置の比率及び前記標高差の大きさが所定値以下の平面位置の比率の少なくとも一方を算出する第１比率算出ステップと、
前記第１比率算出ステップで算出された比率に基づいて、前記所定領域の状態を判定する第１判定ステップとを備えることを特徴とする請求項１〜４の何れかに記載の標高差検知方法。
【請求項６】
前記点群データ取得ステップで取得された点群データに基づいた３次元画像を表示部に表示する画像表示ステップと、
前記標高差の大きさが所定値より大きい平面位置及び前記標高差の大きさが所定値以下の平面位置の何れかに応じた色を、前記平面位置ごとに決定する第２色決定ステップと、
前記画像表示ステップにより表示された３次元画像に対し、前記第２色決定ステップで決定された色を追加して前記標高差を表示する第２標高差色表示ステップとを備えることを特徴とする請求項５に記載の標高差検知方法。
【請求項７】
前記所定領域内の同一の平面位置ごとに、前記標高差算出ステップで算出された標高差の大きさと所定値とを比較する比較ステップと、
前記比較ステップでの比較結果に基づいて、前記標高差の大きさが所定値より大きい平面位置について前記標高差の大きさが第１所定範囲にある平面位置の比率、及び、前記標高差の大きさが所定値以下の平面位置について前記標高差の大きさが第２所定範囲にある平面位置の比率の少なくとも一方を算出する第２比率算出ステップと、
前記第２比率算出ステップで算出された比率に基づいて、前記所定領域の状態を判定する第２判定ステップとを備えることを特徴とする請求項１〜６の何れかに記載の標高差検知方法。
【請求項８】
前記点群データ取得ステップで取得された点群データに基づいた３次元画像を表示部に表示する画像表示ステップと、
前記標高差の大きさが第１所定範囲にある平面位置または前記標高差の大きさが第２所定範囲にある平面位置の何れかに応じた色を、前記平面位置ごとに決定する第３色決定ステップと、
前記画像表示ステップにより表示された３次元画像に対し、前記第３色決定ステップで決定された色を追加して前記所定領域における標高差を表示する第３標高差色表示ステップとを備えることを特徴とする請求項７に記載の標高差検知方法。
【請求項９】
前記所定領域内の同一の平面位置ごとに、前記標高差算出ステップで算出された標高差の大きさと所定値とを比較する比較ステップと、
前記比較ステップでの比較結果に基づいて、前記所定領域における標高差の大きさが所定値より大きい平面位置と標高差の大きさが所定値以下の平面位置との境界部分の比率を算出する第３比率算出ステップと、
前記第３比率算出ステップで算出された比率に基づいて、前記所定領域の状態を判定する第３判定ステップとを備えることを特徴とする請求項１〜８の何れかに記載の標高差検知方法。
【請求項１０】
既知点に設置された３次元走査装置から照射されるレーザ光により取得された補修起工時における路面の所定領域内の各点について３次元座標化された点群データを記憶する点群データ記憶手段と、
前記所定領域を補修する際の補修計画面を示す計画面データ、前記所定領域が新設されたときの路面データ、及び、前記所定領域が補修されたときの路面データの何れかを基準面データとして記憶する基準面データ記憶手段と、
前記点群データ記憶手段に記憶された点群データと前記基準面データ記憶手段に記憶された基準面データとに基づいて、前記所定領域内の同一の平面位置ごとに標高差を算出する標高差算出手段とを備えることを特徴とする標高差検知システム。
【請求項１１】
前記点群データ記憶手段に記憶された点群データに基づいた３次元画像を表示部に表示する表示制御手段と、
前記標高差算出手段で算出された標高差の大きさに応じた色を、前記所定領域内の同一の平面位置ごとに決定する第１色決定手段とを備え、
前記表示制御手段は、前記表示部に表示された３次元画像に対し、前記第１色決定手段で決定された色を追加して前記所定領域における標高差を表示することを特徴とする請求項１０に記載の標高差検知システム。
【請求項１２】
前記点群データ記憶手段に記憶された点群データに基づいた３次元画像を表示部に表示する表示制御手段とを備え、
前記表示制御手段は、前記表示部に表示された３次元画像に対し、前記標高差算出手段で算出された標高差の大きさに応じて前記所定領域内の標高差が同一である部分を示す線を表示することを特徴とする請求項１０または１１に記載の標高差検知システム。
【請求項１３】
前記所定領域における標高差が前記表示部に表示された状態で、前記所定領域内にある所定位置を指定する指定手段を備え、
前記表示制御手段は、前記指定手段により所定位置が指定された場合に、その所定位置における標高差を示す数値及び所定位置近傍において同一の標高差である部分を示す線で囲まれた領域の面積を示す数値の少なくとも一方を前記表示部に表示することを特徴とする請求項１１または１２に記載の標高差検知システム。
【請求項１４】
前記所定領域内の同一の平面位置ごとに、前記標高差算出手段で算出された標高差の大きさと所定値とを比較する比較手段と、
前記比較手段での比較結果に基づいて、前記標高差の大きさが所定値より大きい平面位置の比率及び前記標高差の大きさが所定値以下の平面位置の比率の少なくとも一方を算出する第１比率算出手段と、
前記第１比率算出手段で算出された比率に基づいて、前記所定領域の状態を判定する第１判定手段とを備えることを特徴とする請求項１０〜１３の何れかに記載の標高差検知システム。
【請求項１５】
前記点群データ記憶手段に記憶された点群データに基づいた３次元画像を表示部に表示する表示制御手段と、
前記標高差の大きさが所定値より大きい平面位置及び前記標高差の大きさが所定値以下の平面位置の何れかに応じた色を、前記平面位置ごとに決定する第２色決定手段とを備え、
前記表示制御手段は、前記表示部に表示された３次元画像に対し、前記表示制御手段により表示された３次元画像に対し、前記第２色決定手段で決定された色を追加して前記所定領域における標高差を表示することを特徴とする請求項１４に記載の標高差検知システム。
【請求項１６】
前記所定領域内の同一の平面位置ごとに、前記標高差算出手段で算出された標高差の大きさと所定値とを比較する比較手段と、
前記比較手段での比較結果に基づいて、前記標高差の大きさが所定値より大きい平面位置について前記標高差の大きさが第１所定範囲にある平面位置の比率、及び、前記標高差の大きさが所定値以下の平面位置について前記標高差の大きさが第２所定範囲にある平面位置の比率の少なくとも一方を算出する第２比率算出手段と、
前記第２比率算出手段で算出された比率に基づいて、前記所定領域の状態を判定する第２判定手段とを備えることを特徴とする請求項１０〜１５の何れかに記載の標高差検知方法。
【請求項１７】
前記点群データ記憶手段に記憶された点群データに基づいた３次元画像を表示部に表示する表示制御手段と、
前記標高差の大きさが第１所定範囲にある平面位置または前記標高差の大きさが第２所定範囲にある平面位置の何れかに応じた色を、前記平面位置ごとに決定する第３色決定手段とを備え、
前記表示制御手段は、前記画像表示手段により表示された３次元画像に対し、前記第３色決定手段で決定された色を追加して前記所定領域における標高差を表示することを特徴とする請求項１６に記載の標高差検知方法。
【請求項１８】
前記所定領域内の同一の平面位置ごとに、前記標高差算出手段で算出された標高差の大きさと所定値とを比較する比較手段と、
前記比較手段での比較結果に基づいて、前記標高差の大きさが所定値より大きい平面位置と前記標高差の大きさが所定値以下の平面位置との境界部分の比率を算出する第３比率算出手段と、
前記第３比率算出手段で算出された比率に基づいて、前記所定領域の状態を判定する第３判定手段とを備えることを特徴とする請求項１０〜１７の何れかに記載の標高差検知システム。
【請求項１９】
コンピュータに読み込まれることにより、当該コンピュータを、
既知点に設置された３次元走査装置から照射されるレーザ光により取得された補修起工時における路面の所定領域内の各点について３次元座標化された点群データを受け付ける点群データ受付手段、
前記所定領域を補修する際の補修計画面を示す計画面データ、前記所定領域が新設されたときの路面データ、及び、前記所定領域が補修されたときの路面データの何れかを基準面データとして受け付ける基準面データ受付手段、
前記点群データ受付手段で受け付けた点群データと前記基準面データ受付手段で受け付けた基準面データとに基づいて、前記所定領域内の同一の平面位置ごとに標高差を算出する標高差算出手段として機能させることを特徴とする標高差検知プログラム。
【発明の詳細な説明】
【技術分野】
【０００１】
本発明は、例えば道路の路面を補修計画に基づいて補修する際に、補修起工時の路面表面における轍などの掘れを検知する標高差検知方法、標高差検知システム及び標高差検知プログラムに関する。
【背景技術】
【０００２】
従来、道路等の表層を構成するアスファルト舗装の表面に掘れなどの損傷が発生した場合、例えば切削オーバーレイ工法により補修が行われていた。この補修工法は、既設アスファルト舗装の表層部を路面切削機で切削して除去し、その後に新規アスファルトを敷いて表層を新たに構築するものである。
【０００３】
道路の補修を行うためには、路面の凹凸状態を点検する必要があり、従来、路面の点検は、点検員の目視により行われていたが、各点検員により路面を点検し、掘れ量を計測する作業は非常に煩雑である。したがって、点検員が掘れ量を計測する代わりに、掘れ量を自動計測する路面計測装置がある（特許文献１参照）。この路面計測装置では、計測した結果に基づいて基準面を設定して、その基準面に対して路面の掘れ量を計算している。
【先行技術文献】
【特許文献】
【０００４】
【特許文献１】特開平９−１０１１２９号公報
【発明の概要】
【発明が解決しようとする課題】
【０００５】
実際に補修が行われる際の補修計画面は、例えば路面の傾斜が所定傾斜度になるように計画されるのが一般的であり、従来のように補修起工時において路面を計測した結果に基づいた基準面と全く異なるものである。したがって、補修起工時の路面状態に基づいた基準面からの路面表面の掘れ量を計算したとしても、基準面が妥当なものか否か不明であり、補修起工時において補修が必要である補修箇所を正確に特定するのは困難である。また、路面表面の掘れ量を正確に検知できず、補修起工時において路面表面の掘れを無くす補修に必要となる材料費（例えばアスファルト量）を正確に予測するのは不可能である。また、切削オーバーレイ工法により補修が行われる際に、切削ボリュームを正確に予測するのは困難である。
【０００６】
本発明は、このような課題に着目してなされたものであって、例えば路面表面の掘れを無くす補修を実施する際、補修起工時において路面表面の状態を正確に把握することが可能な標高差検知方法、標高差検知システム及び標高差検知プログラムを提供することを目的としている。
【課題を解決するための手段】
【０００７】
本発明は、かかる課題を解決するために、次のような手段を講じたものである。
【０００８】
すなわち、本発明に係る標高差検知方法は、既知点に設置された３次元走査装置から照射されるレーザ光により、補修起工時における路面の所定領域内の各点について３次元座標化された点群データを取得する点群データ取得ステップと、前記所定領域を補修する際の補修計画面を示す計画面データ、前記所定領域が新設されたときの路面データ、及び、前記所定領域が補修されたときの路面データの何れかを基準面データとして取得する基準面データ取得ステップと、前記点群データ取得ステップで取得された点群データと前記基準面データ取得ステップで取得された基準面データとに基づいて、前記所定領域内の同一の平面位置ごとに標高差を算出する標高差算出ステップとを備えることを特徴とする。
【０００９】
本発明に係る標高差検知システムは、既知点に設置された３次元走査装置から照射されるレーザ光により取得された補修起工時における路面の所定領域内の各点について３次元座標化された点群データを記憶する点群データ記憶手段と、前記所定領域を補修する際の補修計画面を示す計画面データ、前記所定領域が新設されたときの路面データ、及び、前記所定領域が補修されたときの路面データの何れかを基準面データとして記憶する基準面データ記憶手段と、前記点群データ記憶手段に記憶された点群データと前記基準面データ記憶手段に記憶された基準面データとに基づいて、前記所定領域内の同一の平面位置ごとに標高差を算出する標高差算出手段とを備えることを特徴とする。
【００１０】
本発明に係る標高差検知プログラムは、コンピュータに読み込まれることにより、当該コンピュータを、既知点に設置された３次元走査装置から照射されるレーザ光により取得された補修起工時における路面の所定領域内の各点について３次元座標化された点群データを受け付ける点群データ受付手段、前記所定領域を補修する際の補修計画面を示す計画面データ、前記所定領域が新設されたときの路面データ、及び、前記所定領域が補修されたときの路面データの何れかを基準面データとして受け付ける基準面データ受付手段、前記点群データ受付手段で受け付けた点群データと前記基準面データ受付手段で受け付けた基準面データとに基づいて、前記所定領域内の同一の平面位置ごとに標高差を算出する標高差算出手段として機能させることを特徴とする。
【００１１】
これにより、本発明に係る標高差検知方法、標高差検知システム及び標高差検知プログラムでは、路面の所定領域を補修する際に、補修起工時における路面の各点についての点群データと基準面データとに基づいて所定領域内の各平面位置での標高差が算出されるが、基準面データとして、所定領域を補修する際の補修計画面を示す計画面データ、所定領域が新設されたときの路面データ、及び、所定領域が補修されたときの路面データの何れかが使用されるため、路面表面において掘れが形成された補修箇所を正確に特定可能である。また、路面表面の掘れ量を正確に検知することが可能であり、補修起工時において路面表面の掘れを無くす補修に必要となる材料費を正確に予測することが可能となる。また、切削オーバーレイ工法により補修が行われる際に、切削ボリュームを正確に予測することが可能となる
【００１２】
本発明に係る標高差検知方法において、前記点群データ取得ステップで取得された点群データに基づいた３次元画像を表示部に表示する画像表示ステップと、前記標高差算出ステップで算出された標高差の大きさに応じた色を、前記所定領域内にある同一の平面位置ごとに決定する第１色決定ステップと、前記画像表示ステップにより表示された３次元画像に対し、前記第１色決定ステップで決定された色を追加して前記所定領域における標高差を表示する第１標高差色表示ステップとを備えることを特徴とする。
【００１３】
本発明に係る標高差検知システムにおいて、前記点群データ記憶手段に記憶された点群データに基づいた３次元画像を表示部に表示する表示制御手段と、前記標高差算出手段で算出された標高差の大きさに応じた色を、前記所定領域内にある同一の平面位置ごとに決定する第１色決定手段とを備え、前記表示制御手段は、前記表示部に表示された３次元画像に対し、前記第１色決定手段で決定された色を追加して前記所定領域における標高差を表示することを特徴とする。
【００１４】
これにより、本発明に係る標高差検知方法及び標高差検知システムでは、所定領域内の各平面位置での標高差をその大きさに応じた色により表示することにより、路面表面において掘れが形成された箇所及び路面表面の掘れ量を容易に把握可能である。
【００１５】
本発明に係る標高差検知方法において、前記点群データ取得ステップで取得された点群データに基づいた３次元画像を表示部に表示する画像表示ステップと、前記画像表示ステップにより表示された３次元画像に対し、前記標高差算出ステップで算出された標高差の大きさに応じて前記所定領域内の標高差が同一である部分を示す線を表示する標高差線表示ステップとを備えることを特徴とする。
【００１６】
本発明に係る標高差検知システムにおいて、前記点群データ記憶手段に記憶された点群データに基づいた３次元画像を表示部に表示する表示制御手段とを備え、前記表示制御手段は、前記表示部に表示された３次元画像に対し、前記標高差算出手段で算出された標高差の大きさに応じて前記所定領域内の標高差が同一である部分を示す線を表示することを特徴とする。
【００１７】
これにより、本発明に係る標高差検知方法及び標高差検知システムでは、所定領域内の標高差が同一である領域を線により表示することにより、路面表面において掘れが形成された箇所及び路面表面の掘れ量を容易に把握可能である。
【００１８】
本発明に係る標高差検知方法において、前記第１標高差色表示ステップまたは前記標高差線表示ステップにより前記所定領域における標高差が前記表示部に表示された状態で、前記所定領域内にある所定位置を指定する指定ステップと、前記指定ステップにより所定位置が指定された場合に、その所定位置における標高差を示す数値及び所定位置近傍において同一の標高差である部分を示す線で囲まれた領域の面積を示す数値の少なくとも一方を前記表示部に表示する数値表示ステップとを備えることを特徴とする。
【００１９】
本発明に係る標高差検知システムにおいて、前記所定領域における標高差が前記表示部に表示された状態で、前記所定領域内にある所定位置を指定する指定手段を備え、前記表示制御手段は、前記指定手段により所定位置が指定された場合に、その所定位置における標高差及び所定位置近傍において同一の標高差である部分を示す線で囲まれた領域の面積を示す数値の少なくとも一方を示す数値を前記表示部に表示することを特徴とする。
【００２０】
これにより、本発明に係る標高差検知方法及び標高差検知システムでは、所定領域内の所定位置における標高差や所定位置近傍において同一の標高差である部分を示す線で囲まれた領域の面積を示す数値で検知可能である。
【００２１】
本発明に係る標高差検知方法において、前記所定領域内の同一の平面位置ごとに、前記標高差算出ステップで算出された標高差の大きさと所定値とを比較する比較ステップと、前記比較ステップでの比較結果に基づいて、前記標高差の大きさが所定値より大きい平面位置の比率及び前記標高差の大きさが所定値以下の平面位置の比率の少なくとも一方を算出する第１比率算出ステップと、前記第１比率算出ステップで算出された比率に基づいて、前記所定領域の状態を判定する第１判定ステップとを備えることを特徴とする。
【００２２】
本発明に係る標高差検知システムにおいて、前記所定領域内の同一の平面位置ごとに、前記標高差算出手段で算出された標高差の大きさと所定値とを比較する比較手段と、前記比較手段での比較結果に基づいて、前記標高差の大きさが所定値より大きい平面位置の比率及び前記標高差の大きさが所定値以下の平面位置の比率の少なくとも一方を算出する第１比率算出手段と、前記第１比率算出手段で算出された比率に基づいて、前記所定領域の状態を判定する第１判定手段とを備えることを特徴とする。
【００２３】
これにより、本発明に係る標高差検知方法及び標高差検知システムでは、所定領域内の同一の平面位置ごとに標高差の大きさと所定値とを比較した比較結果に基づいて、標高差の大きさが所定値より大きい平面位置の比率、または、標高差の大きさが所定値以下の平面位置の比率を算出し、その比率に基づいて所定領域の状態を判定する。そのため、所定領域の状態が自動的に判定されるため、所定領域の状態を点検員が判定する必要がなくなる。
【００２４】
本発明に係る標高差検知方法において、前記点群データ取得ステップで取得された点群データに基づいた３次元画像を表示部に表示する画像表示ステップと、前記標高差の大きさが所定値より大きい平面位置及び前記標高差の大きさが所定値以下の平面位置の何れかに応じた色を、前記平面位置ごとに決定する第２色決定ステップと、前記画像表示ステップにより表示された３次元画像に対し、前記第２色決定ステップで決定された色を追加して前記所定領域における標高差を表示する第２標高差色表示ステップとを備えることを特徴とする。
【００２５】
本発明に係る標高差検知システムにおいて、前記点群データ記憶手段に記憶された点群データに基づいた３次元画像を表示部に表示する表示制御手段と、前記標高差の大きさが所定値より大きい平面位置及び前記標高差の大きさが所定値以下の平面位置の何れかに応じた色を、前記平面位置ごとに決定する第２色決定手段とを備え、前記表示制御手段は、前記表示部に表示された３次元画像に対し、前記表示制御手段により表示された３次元画像に対し、前記第２色決定手段で決定された色を追加して前記所定領域における標高差を表示することを特徴とする。
【００２６】
これにより、本発明に係る標高差検知方法及び標高差検知システムでは、標高差の大きさが所定値より大きい平面位置と、標高差の大きさが所定値以下の平面位置とが異なる色で表示されるため、所定領域の状態を容易に検知することができる。
【００２７】
本発明に係る標高差検知方法において、前記所定領域内の同一の平面位置ごとに、前記標高差算出ステップで算出された標高差の大きさと所定値とを比較する比較ステップと、前記比較ステップでの比較結果に基づいて、前記標高差の大きさが所定値より大きい平面位置について前記標高差の大きさが第１所定範囲にある平面位置の比率、及び、前記標高差の大きさが所定値以下の平面位置について前記標高差の大きさが第２所定範囲にある平面位置の比率の少なくとも一方を算出する第２比率算出ステップと、前記第２比率算出ステップで算出された比率に基づいて、前記所定領域の状態を判定する第２判定ステップとを備えることを特徴とする。
【００２８】
本発明に係る標高差検知システムにおいて、前記所定領域内の同一の平面位置ごとに、前記標高差算出手段で算出された標高差の大きさと所定値とを比較する比較手段と、前記比較手段での比較結果に基づいて、前記標高差の大きさが所定値より大きい平面位置について前記標高差の大きさが第１所定範囲にある平面位置の比率、及び、前記標高差の大きさが所定値以下の平面位置について前記標高差の大きさが第２所定範囲にある平面位置の比率の少なくとも一方を算出する第２比率算出手段と、前記第２比率算出手段で算出された比率に基づいて、前記所定領域の状態を判定する第２判定手段とを備えることを特徴とする。
【００２９】
これにより、本発明に係る標高差検知方法及び標高差検知システムでは、所定領域内の同一の平面位置ごとに標高差の大きさと所定値とを比較した比較結果に基づいて、標高差の大きさが第１所定範囲にある平面位置の比率、または、標高差の大きさが第２所定範囲にある平面位置の比率を算出し、その比率に基づいて所定領域の状態を判定する。そのため、所定領域の状態が自動的に判定されるため、所定領域の状態を点検員が判定する必要がなくなる。
【００３０】
本発明に係る標高差検知方法において、前記点群データ取得ステップで取得された点群データに基づいた３次元画像を表示部に表示する画像表示ステップと、前記標高差の大きさが第１所定範囲にある平面位置または前記標高差の大きさが第２所定範囲にある平面位置の何れかに応じた色を、前記平面位置ごとに決定する第３色決定ステップと、前記画像表示ステップにより表示された３次元画像に対し、前記第３色決定ステップで決定された色を追加して前記所定領域における標高差を表示する第３標高差色表示ステップとを備えることを特徴とする。
【００３１】
本発明に係る標高差検知方法において、前記点群データ記憶手段に記憶された点群データに基づいた３次元画像を表示部に表示する表示制御手段と、前記標高差の大きさが第１所定範囲にある平面位置または前記標高差の大きさが第２所定範囲にある平面位置の何れかに応じた色を、前記平面位置ごとに決定する第３色決定手段とを備え、前記表示制御手段は、前記画像表示手段により表示された３次元画像に対し、前記第３色決定手段で決定された色を追加して前記所定領域における標高差を表示することを特徴とする。
【００３２】
これにより、本発明に係る標高差検知方法及び標高差検知システムでは、標高差の大きさが第１所定範囲にある平面位置または標高差の大きさが第２所定範囲にある平面位置が、それに応じた色で表示されるため、所定領域の状態を容易に検知することができる。
【００３３】
本発明に係る標高差検知方法において、前記所定領域内の同一の平面位置ごとに、前記標高差算出ステップで算出された標高差の大きさと所定値とを比較する比較ステップと、前記比較ステップでの比較結果に基づいて、前記標高差の大きさが所定値より大きい平面位置と前記標高差の大きさが所定値以下の平面位置との境界部分の比率を算出する第３比率算出ステップと、前記第３比率算出ステップで算出された比率に基づいて、前記所定領域の状態を判定する第３判定ステップとを備えることを特徴とする。
【００３４】
本発明に係る標高差検知システムにおいて、前記所定領域内の同一の平面位置ごとに、前記標高差算出手段で算出された標高差の大きさと所定値とを比較する比較手段と、前記比較手段での比較結果に基づいて、前記標高差の大きさが所定値より大きい平面位置と前記標高差の大きさが所定値以下の平面位置との境界部分の比率を算出する第３比率算出手段と、前記第３比率算出手段で算出された比率に基づいて、前記所定領域の状態を判定する第３判定手段とを備えることを特徴とする。
【００３５】
これにより、本発明に係る標高差検知方法及び標高差検知システムでは、所定領域内の同一の平面位置ごとに標高差の大きさと所定値とを比較した比較結果に基づいて、標高差の大きさが所定値より大きい平面位置と、標高差の大きさが所定値以下の平面位置との境界部分の比率を算出し、その比率に基づいて所定領域の状態を判定する。そのため、所定領域の状態が自動的に判定されるため、所定領域の状態を点検員が判定する必要がなくなる。
【発明の効果】
【００３６】
以上、本発明によれば、路面表面において掘れが形成された補修箇所を正確に特定可能である。また、路面表面の掘れ量を正確に検知することが可能であり、補修起工時において路面表面の掘れを無くす補修に必要となる材料費を正確に予測することが可能となる。また、切削オーバーレイ工法により補修が行われる際に、切削ボリュームを正確に予測することが可能となる
【図面の簡単な説明】
【００３７】
【図１】本発明の第１実施形態に係る標高差検知システムの概略構成を示した図である。
【図２】補修起工時における道路の所定領域の点群データに基づいた３Ｄ画像である。
【図３】縦断計画面を説明する模式図である。
【図４】横断計画面を説明する模式図である。
【図５】道路の所定領域を補修する際の補修計画を示す補修計画面の平面図であり、
【図６】道路の所定領域を補修する際の補修計画を示す補修計画面の側面図である。
【図７】道路の所定領域内の各平面位置における標高差を色で表示した図である。
【図８】図７の一部を拡大した図である。
【図９】指定された所定位置における標高差を数値で表示した図である。
【図１０】道路の所定領域内の各平面位置における標高差を色で表示した図である。
【図１１】図１０の一部を拡大した図である。
【図１２】道路の所定領域内の各平面位置における標高差を標高差が同一である部分を示す線で表示した図である。
【図１３】指定された所定位置における標高差が同一である部分を示す線で囲まれた領域の面積を数値で表示した図である。
【図１４】図１の標高差検知システムの標高差検知方法を説明する図である。
【図１５】本発明の第２実施形態に係る標高差検知システムの概略構成を示した図である。
【図１６】所定領域ａに対して色を追加した画像の例である。
【図１７】所定領域ｂに対して色を追加した画像の例である。
【図１８】所定領域ｃに対して色を追加した画像の例である。
【図１９】濃色領域の比率の算出方法を説明する図である。
【図２０】色相境界の比率の算出方法を説明する図である。
【図２１】図１５の標高差検知システムの標高差検知方法を説明する図である。
【図２２】図２２（ａ）は、補修起工時の所定領域における標高差を色で示した図であり、図２２（ｂ）は、補修後の所定領域における標高差を色で示した図である。
【発明を実施するための形態】
【００３８】
以下、本発明の実施形態について、図面を参照して説明する。
【００３９】
（第１実施形態）
本発明の実施形態に係る標高差検知システム１は、３Ｄスキャナ２（３次元走査装置）と、３Ｄスキャナ２が無線接続された標高差検知装置１０とを有している。
【００４０】
３Ｄスキャナ２は、既知点に設置された状態でレーザ光を照射することにより道路の路面及びその周辺における各点を３次元座標化された点群データ（平面位置座標を有する標高の集合）として取得し、その点群データを標高差検知装置１０に供給する。３Ｄスキャナ２は、測定対象物（道路の路面）に対して、例えば垂直方向及び水平方向にラインレーザ光を出射し、測定対象物の測定点とセンサの間をレーザパルスが往復する時間を計測することで、測定点までの距離を求めることができる。３Ｄスキャナ２により取得される点群データは、例えば２５ｃｍ以下の間隔おきの位置におけるデータであり、本実施形態において、３Ｄスキャナ２は、例えば５ミリメートルの間隔おきの位置における点群データを取得する。そのため、補修起工時において、路面表面の小さい間隔おきの標高が検知可能であり、道路の路面表面の掘れを適正に検知可能となる。
【００４１】
本実施形態では、道路の路面における所定領域（調査範囲）の凹凸状態を調査し、その凹凸状態に基づいて、補修する補修箇所を特定する場合について説明する。
【００４２】
標高差検知装置１０は、図１に示すように、制御部１０ａを有しており、制御部１０ａは、例えば、マイクロコンピュータなどで構成されており、ＣＰＵと、標高差検知装置１０の動作を制御するプログラムが格納されたＲＯＭと、上記プログラムを実行する際に用いられるデータ等が一時的に記憶されるＲＡＭとを備えている。即ち、制御部１０ａは、ＣＰＵ、メモリ及びインターフェースを含む通常のマイクロコンピュータを主体として構成されるもので、メモリに記憶されている標高差検知プログラムに従い所定の演算、処理を行って、周辺ハードウェアとの協働の下に、３Ｄスキャナ２から取り込んだ点群データと、別途取り込んだ計画面データとに基づいて、道路の路面における標高差を検知する。
【００４３】
標高差検知装置１０の制御部１０ａは、点群データ記憶部１１ａを含む点群データ受付部１１と、３Ｄ画像作成部１２と、計画面データ記憶部１３ａを含む計画面データ受付部１３と、標高差算出部１４と、第１色決定部１５と、表示制御部１６とを有している。また、標高差検知装置１０の制御部１０ａは、表示画面などの表示部５を有している。
【００４４】
点群データ受付部１１は、３Ｄスキャナ２から供給された道路の路面の所定領域における各点についての点群データを受け付ける。点群データ記憶部１１ａは、３Ｄスキャナ２から供給された道路の路面の所定領域における各点についての点群データを記憶する。点群データとして、道路の路面における各点についての平面位置（緯度、経度）及び高さに対応したデータを含んでいる。
【００４５】
本実施形態では、道路の補修起工時において、３Ｄスキャナ２により道路の路面の所定領域における各点についての点群データが取得され、その点群データが点群データ記憶部１１ａに記憶されている。
【００４６】
３Ｄ画像作成部１２は、点群データ記憶部１１ａに記憶された点群データに基づいて、道路の補修起工時における路面の３Ｄ画像を作成する。図２は、道路の補修起工時における路面の所定領域の３Ｄ画像である。
【００４７】
計画面データ受付部１３は、路面の所定領域を補修する際の補修計画面を示す計画面データを受け付ける。計画面データ記憶部１３ａは、路面の所定領域を補修する際の補修計画面を示す計画面データを記憶する。計画面データは、別途、実施される補修計画により取得された補修計画面を示し、各平面位置の標高差を算出する際に基準面データとして使用される。補修計画は、路面の所定領域全体について行われるが、路面表面の掘れが多いことから補修が必要である補修箇所と、路面表面の掘れが少ないことから補修が必要でない箇所とを含んでいる。
【００４８】
計画面データ記憶部１３ａは、路面の所定領域を補修する際の補修計画面データとして、所定領域の各平面位置の標高を記憶しており、道路の補修は、道路の補修起工時における所定領域の各平面位置の標高が、補修計画面として計画された各平面位置の標高とそれぞれ一致するように行われる。
【００４９】
補修計画は、縦横断計画を含んでおり、道路の縦断方向に沿った縦断計画が行われた後、道路の複数個所における横断方向に沿った横断計画が行われることにより、所定領域を補修する際の補修計画面が取得される。したがって、補修計画面には、縦断計画面を示す計画面データと、複数の横断計画面を示す計画面データとが含まれる。
【００５０】
縦断計画は、道路の中央部において、道路の縦断方向に沿った線上の各点の標高についての計画を含んでいる。例えば、図３は、道路の中央部に沿った線上の各点の標高についての縦断計画面を示している。図３では、補修計画が必要である補修箇所が、左側の補修がされない箇所と右側の補修されない箇所との間にある。図３の補修箇所には、点群データに基づいた標高の変化が図示されると共に、縦断計画面が図示されている。
【００５１】
図３の縦断計画面は、道路の中央部に沿った線上の各位置における標高が、道路の平坦性などを考慮して計画された後、それらの標高を接続することにより得られる。道路の中央部に沿った線上の位置は、例えば１０ｍおきの位置や２０ｍおきの位置である。
【００５２】
縦断計画において、道路の中央部に沿った線上の各位置での標高について計画された後で横断計画が行われる。横断計画は、道路の中央部に沿った線上の各位置での道路の横断方向に沿った線上にある各点の標高についての計画である。例えば、図４は、図３のａ点での道路の横断方向に沿った線上にある各点の標高についての横断計画面を示している。図４では、補修計画が必要である補修箇所が、道路の左側端部と道路の右側端部との間にある。補修箇所には、点群データに基づいた標高の変化が図示されると共に、横断計画面が図示されている。図４では、道路の傾斜を分かりやすいように図示している。
【００５３】
横断計画面は、図３に示した道路の中央部に沿った線上の各位置について、道路中央の標高から道路の両端に向かって下方に傾斜する傾斜面の傾斜度などを考慮して計画されることにより得られる。例えば道路の横断計画を行う場合、通常、道路中部から道路の端に向かって所定の傾斜度で下方に傾斜するように設計されるのが一般的である。例えば、図４の横断計画面では、図３の縦断計画面におけるａ点の道路中央の標高から、道路の両端に向かって所定の傾斜度で下方に傾斜する傾斜面に沿って、ａ１点まで標高が低下し、その後、ａ１点と道路の左側端部及び道路の右側端部とを接続する接続面に沿って、道路の左側端部及び道路の右側端部まで標高が低下する。したがって、横断計画面に基づいて補修されると、補修箇所に形成されるアスファルト舗装の表層部と、道路の左側端部及び道路の右側端部のコンクリート部とは、段差がない状態で接続される。なお、図４の横断計画面は、横断計画面の例であり、横断計画の方法は、それに限られない。したがって、横断計画面は、例えば、道路中央から道路の端に向かって異なる複数の傾斜度で下方に傾斜する傾斜面が接続されるように設計されてよい。
【００５４】
上述のようにして得られた道路の中央部に沿った線上の各位置における横断計画面を縦断方向に接続することにより、路面の所定領域を補修する際の補修計画面が取得される。図５は、補修計画面の平面図であり、図６は、補修計画面の側面図である。
【００５５】
標高差算出部１４は、点群データ記憶部１１ａに記憶された点群データと計画面データ記憶部１３ａに記憶された計画面データとに基づいて、路面の所定領域内の同一の平面位置ごとに標高差を算出する。したがって、標高差算出部１４は、図２に示した路面の所定領域について、道路の所定領域内の同一の平面位置ごとに、道路の補修起工時と補修計画面との標高差を算出する。具体的には、標高差算出部１４では、点群データ記憶部１１ａに記憶された点群データに基づいて、３Ｄスキャナ２により取得された点群データを頂点として連結された３角形平面の集合体である三次元ＴＩＮモデル（不定形三角網）に変換して、道路の補修起工時における道路の所定領域内の同一の平面位置ごとに、各点の緯度、経度及び高さに対応したデータを導出する。そのため、標高差算出部１４は、道路の所定領域内における各点の点群データが、点群データ記憶部１１ａに記憶されてない場合でも、道路の所定領域内における各点の緯度、経度及び高さに対応したデータを導出することが可能である。
【００５６】
第１色決定部１５は、標高差算出部１４で算出された標高差の大きさに応じた色を決定する。例えば、標高差の大きさに応じて、互いに異なる複数の色が対応するように設定されている。複数の色は、互いに異なる複数のカラーの色であってよいし、互いに異なる濃度の色であってよい。
【００５７】
表示制御部１６は、表示部５に表示される内容を制御する。表示制御部１６は、例えば３Ｄ画像作成部１２により作成された３Ｄ画像を表示部５に表示する。また、表示制御部１６は、道路の所定領域の３Ｄ画像に対して、第１色決定部１５で決定された色を追加して、路面の所定領域内の各位置における標高差を表示部５に表示する。したがって、表示制御部１６は、図７及び図８に示すように、道路の所定領域内において同一の平面位置ごとに、補修起工時の標高と補修計画面の標高との標高差を、互いに異なる複数の色により表示する。図８は、図７の一部を拡大した図である。
【００５８】
例えば、標高差が白色と黒色との間の色の濃度で表示される場合、図７及び図８に示すように、補修起工時と補修計画面との標高差が小さい部分が白色に近い色で表示され、補修起工時と補修計画面との標高差が大きい部分が黒色に近い色で表示される。したがって、路面表面において、黒色に近い色で表示された部分が、道路の補修起工時において路面表面の掘れ量が多い部分であり、補修が必要である補修箇所であると特定可能である。
【００５９】
使用者は、表示部５の表示面５ａを押すことにより操作を行うことが可能である。例えば、図７に示すように、路面の所定領域における標高差が表示部５に表示された状態において、使用者が、表示部５の表示面５ａに表示された所定領域内にある所定位置を押すことにより所定位置を指定する操作を行うことが可能である。表示制御部１６は、所定領域内にある所定位置を指定する操作が行われた場合、図９に示すように、指定された所定位置における標高差を示す数値を表示部５に表示する。本実施形態では、表示部５の表示面５ａが、所定位置を指定する指定手段である。
【００６０】
図１０は、上述と同様にして、道路の路面における異なる所定領域（調査範囲）の凹凸状態を調査し、道路の所定領域内において同一の平面位置ごとに、補修起工時の標高と補修計画面の標高との標高差を表示した図である。図１１は、図１０に示した調査領域内にある部分Ａを拡大した図である。
【００６１】
表示制御部１６は、図１０及び図１１に示すように、道路の所定領域内において同一の平面位置ごとに、補修起工時の標高と補修計画面の標高との標高差を、互いに異なる複数の色により表示する。
【００６２】
表示制御部１６は、図１２に示すように、道路の所定領域内の標高差が同一である部分を示す線を表示する。図１２は、図１１の表示に対して、標高差が同一である部分を示す線を追加するように表示した図である。図１２では、路面表面の掘れ量を示す色に対応するように標高差を示す線が表示されており、標高差を示す線として、複数種類の標高差である部分を示す線が図示されているが、表示部５において線で表示される標高差は、任意に設定可能である。図１３は、表示部５に表示された標高差を示す線の模式図であるが、例えば、図１３（ａ）及び図１３（ｂ）に示すように、所定領域内にある所定位置を指定する操作が行われた場合、表示制御部１６は、指定された所定位置近傍において同一の標高差である部分を示す線で囲まれた領域の面積を示す数値を表示部５に表示する。図１３（ａ）では、所定領域内にある所定位置を指定する操作が行われた場合、線Ａａ１で囲まれた１つの領域の面積を示す数値が表示部５に表示され、図１３（ｂ）では、所定領域内にある所定位置を指定する操作が行われた場合、線Ａａ２で囲まれた２つの領域の面積の合計を示す数値が表示部５に表示される。図１３（ｂ）では、所定領域内にある所定位置を指定する操作が行われた場合、線Ａａ２で囲まれた２つの領域のなかで所定位置を含む１つの領域の面積を示す数値が表示部５に表示されてよい。
【００６３】
本実施形態の標高差検知システム１の標高差検知方法について、図１４に基づいて説明する。
【００６４】
ステップＳ１（点群データ取得ステップ）において、道路の補修起工時において、道路の周辺に設置された３Ｄスキャナ２で路面の所定領域のスキャニングが行われることにより点群データが取得される。その後、標高差検知装置１０において、点群データ受付部１１は、３Ｄスキャナ２から供給された点群データを受け付けて、３Ｄスキャナ２から標高差検知装置１０に供給された点群データが点群データ記憶部１１ａに記憶される。
【００６５】
ステップＳ２（基準面データ取得ステップ）において、縦横断計画が行われることにより、道路の所定領域を補修する際の補修計画面を示す計画面データが取得される。その後、標高差検知装置１０において、計画面データ受付部１３は、供給された計画面データを受け付けて、その計画面データが計画面データ記憶部１３ａに記憶される。
【００６６】
ステップＳ３（標高差算出ステップ）において、ステップＳ１で取得された点群データと、ステップＳ２で取得された計画面データとに基づいて、路面の所定領域内の同一の平面位置ごとに標高差が算出される。
【００６７】
ステップＳ４（画像表示ステップ）において、ステップＳ１で取得された点群データに基づいて、補修起工時における路面の所定領域の３Ｄ画像が表示部５に表示される。
【００６８】
ステップＳ５（第１色決定ステップ）において、第１色決定部１５により、ステップＳ３により算出された所定領域内の同一の平面位置ごとの標高差の大きさに応じた色が決定される。
【００６９】
ステップＳ６（第１標高差色表示ステップ、標高差線表示ステップ）において、表示部５に表示された路面の所定領域の３Ｄ画像に対して、ステップＳ５で決定された色が追加されて、所定領域における標高差が複数の色により表示部５に表示されると共に、表示部５に表示された路面の所定領域の３Ｄ画像に対して、同一の標高差を示す線が表示部５に表示される。
【００７０】
ステップＳ７（指定ステップ）において、所定領域における所定位置が指定された場合、ステップＳ８（数値表示ステップ）において、指定された所定位置における標高差を示す数値と、指定された所定位置近傍において同一の標高差である部分を示す線で囲まれた領域の面積を示す数値が表示部５に表示される。
【００７１】
本実施形態の標高差検知方法は、既知点に設置された３Ｄスキャナ２から照射されるレーザ光により、補修起工時における路面の所定領域内の各点について３次元座標化された点群データを取得する点群データ取得ステップと、所定領域を補修する際の補修計画面を示す計画面データを取得する計画面データ取得ステップと、点群データ取得ステップで取得された点群データと計画面取得ステップで取得された計画面データとに基づいて、所定領域内の同一の平面位置ごとに標高差を算出する標高差算出ステップとを備える。
【００７２】
本実施形態の標高差検知システム１は、既知点に設置された３Ｄスキャナ２から照射されるレーザ光により取得された補修起工時における路面の所定領域内の各点について３次元座標化された点群データを記憶する点群データ記憶部１１ａと、所定領域を補修する際の補修計画面を示す計画面データを記憶する計画面データ記憶部１３ａと、点群データ記憶部１１ａに記憶された点群データと計画面データ記憶部１３ａに記憶された計画面データとに基づいて、所定領域内の同一の平面位置ごとに標高差を算出する標高差算出部１４とを備える。
【００７３】
本実施形態に係る標高差検知プログラムは、コンピュータに読み込まれることにより、当該コンピュータを、既知点に設置された３Ｄスキャナ２から照射されるレーザ光により取得された補修起工時における路面の所定領域内の各点について３次元座標化された点群データを受け付ける点群データ受付部１１、所定領域を補修する際の補修計画面を示す計画面データを受け付ける計画面データ受付部１３、点群データ受付部１１で受け付けた点群データと計画面データ受付部１３で受け付けた計画面データとに基づいて、所定領域内の同一の平面位置ごとに標高差を算出する標高差算出部１４として機能させることを特徴とする。
【００７４】
これにより、本実施形態の標高差検知方法、標高差検知システム１及び標高差検知プログラムでは、路面の所定領域を補修する際に、補修起工時における路面の各点についての点群データと補修計画面を示す計画面データとに基づいて、所定領域内の各平面位置での標高差が算出されることから、路面表面において掘れが形成された補修箇所を正確に特定可能である。また、路面表面の掘れ量を正確に検知することが可能であり、補修起工時において路面表面の掘れ量に基づいて、路面の掘れを無くす補修に必要となる材料費を正確に予測することが可能となる。また、切削オーバーレイ工法により補修が行われる際に、切削ボリュームを正確に予測することが可能となる。
【００７５】
本実施形態の標高差検知方法において、点群データ取得ステップで取得された点群データに基づいた３次元画像を表示部に表示する画像表示ステップと、標高差算出ステップで算出された標高差の大きさに応じた色を、所定領域内の同一の平面位置ごとに決定する第１色決定ステップと、画像表示ステップにより表示された３次元画像に対し、第１色決定ステップで決定された色を追加して所定領域における標高差を表示する標高差色表示ステップとを備える。
【００７６】
本実施形態の標高差検知システム１において、点群データ記憶部１１ａに記憶された点群データに基づいた３次元画像を表示部５に表示する表示制御部１６と、標高差算出部１４で算出された標高差の大きさに応じた色を、所定領域内の同一の平面位置ごとに決定する第１色決定部１５とを備え、表示制御部１６は、表示部５により表示された３次元画像に対し、第１色決定部１５で決定された色を追加して所定領域における標高差を表示する。
【００７７】
これにより、本実施形態の標高差検知方法及び標高差検知システム１では、所定領域内の各平面位置での標高差をその大きさに応じた色により表示することにより、路面表面において掘れが形成された箇所及び路面表面の掘れ量を容易に把握可能である。
【００７８】
本実施形態の標高差検知方法において、点群データ取得ステップで取得された点群データに基づいた３次元画像を表示部に表示する画像表示ステップと、画像表示ステップにより表示された３次元画像に対し、標高差算出ステップで算出された標高差の大きさに応じて所定領域内の標高差が同一である部分を示す線を表示する標高差線表示ステップとを備える。
【００７９】
本実施形態の標高差検知システムにおいて、点群データ記憶部１１ａに記憶された点群データに基づいた３次元画像を表示部に表示する表示制御部１６とを備え、表示制御部１６は、表示部に表示された３次元画像に対し、標高差算出部１４で算出された標高差の大きさに応じて所定領域内の標高差が同一である部分を示す線を表示する。
【００８０】
これにより、本実施形態の標高差検知方法及び標高差検知システムでは、所定領域内の標高差が同一である領域を線により表示することにより、路面表面において掘れが形成された箇所及び路面表面の掘れ量を容易に把握可能である。
【００８１】
本実施形態の標高差検知方法において、第１標高差表示ステップにより所定領域における標高差が表示部５に表示された状態で、所定領域内にある所定位置を指定する指定ステップと、指定ステップにより所定位置が指定された場合に、その所定位置における標高差を示す数値を表示部に表示する数値表示ステップとを備える。
【００８２】
本実施形態の標高差検知方法において、第１標高差線表示ステップにより所定領域における標高差が表示部５に表示された状態で、所定領域内にある所定位置を指定する指定ステップと、指定ステップにより所定位置が指定された場合に、所定位置近傍において同一の標高差である部分を示す線で囲まれた領域の面積を示す数値を表示部５に表示する数値表示ステップとを備える。
【００８３】
本実施形態の標高差検知システム１において、所定領域における標高差が表示部５に表示された状態で、所定領域内にある所定位置を指定する表示部５の表示面５ａを備え、表示制御部１６は、表示部５の表示面５ａにより所定位置が指定された場合に、その所定位置における標高差を示す数値を表示部５に表示する。
【００８４】
本実施形態の標高差検知システム１において、所定領域における標高差が表示部５に表示された状態で、所定領域内にある所定位置を指定する表示部５の表示面５ａを備え、表示制御部１６は、表示部５の表示面５ａにより所定位置が指定された場合に、所定位置近傍において同一の標高差である部分を示す線で囲まれた領域の面積を示す数値を表示部５に表示する。
【００８５】
これにより、本実施形態の標高差検知方法及び標高差検知システム１では、所定領域内の所定位置における標高差や所定位置近傍において同一の標高差である部分を示す線で囲まれた領域の面積を数値で検知可能である。
【００８６】
（第２実施形態）
第２実施形態の標高差検知システム１０１が、第１実施形態の標高差検知システム１と異なる点は、第１実施形態では、標高差の大きさに応じた複数の色が追加された画像に基づいて点検員が路面の状態を判定するのに対して、第２実施形態では、標高差検知システム１０１が路面の状態を自動的に判定する点である。なお、第２実施形態の標高差検知システム１０１において、第１実施形態の標高差検知システム１と同様の構成については、その詳細説明を省略する。
【００８７】
本実施形態に係る標高差検知システム１０１は、図１５に示すように、３Ｄスキャナ２（３次元走査装置）と、３Ｄスキャナ２が無線接続された標高差検知装置１１０とを有している。
【００８８】
標高差検知装置１１０は、制御部１１０ａを有しており、制御部１１０ａは、点群データ記憶部１１ａを含む点群データ受付部１１と、３Ｄ画像作成部１２と、計画面データ記憶部１３ａを含む計画面データ受付部１３と、標高差算出部１４と、比較部１１５と、第２色決定部１１６と、表示制御部１１７と、第１比率算出部１１８と、第１判定部１１８ａと、第２比率算出部１１９と、第２判定部１１９ａと、第３比率算出部１２０と、第３判定部１２０ａとを有している。
【００８９】
点群データ受付部１１、３Ｄ画像作成部１２、計画面データ受付部１３及び標高差算出部１４については、第１実施形態と同様である。
【００９０】
比較部１１５は、所定領域内の同一の平面位置ごとに、標高差の大きさと所定値とを比較する。本実施形態において、比較部１１５は、所定領域を０．２５メートル×０．２５メートルの矩形状の領域（以下、検知領域と称する場合がある）に区分して、その検知領域ごとに、標高差の大きさと所定値とを比較する。すなわち、所定領域を複数の検知領域に区分して、その検知領域を１つの平面位置と仮定して、その検知領域ごとに、標高差の大きさと所定値とを比較する。本実施形態において、検知領域ごとの標高差は、例えば５ミリメートルの間隔おきの位置における点群データごとの標高差を使用して、その検知領域の内部にある複数の点群データの標高差の平均値とする。
【００９１】
具体的には、比較部１１５は、所定領域内の同一の検知領域ごとに、標高差の大きさと所定値０とを比較する。本実施形態では、比較部１１５において、標高差の大きさと比較する所定値を０として説明する。すなわち、標高差の大きさは、補修起工時の標高から補修計画面の標高を差し引いた値であり、補修起工時の標高が補修計画面の標高と同一である場合に標高差の大きさが所定値０となり、補修起工時の標高が補修計画面の標高より高い場合に標高差の大きさが正の値となり、補修起工時の標高が補修計画面の標高より低い場合に標高差の大きさが負の値となる。
【００９２】
そのため、比較部１１５は、補修起工時の標高と補修計画面の標高との差が０より大きいか（補修起工時の標高が補修計画面の標高より高い凸部の領域か）、または、補修起工時の標高と補修計画面の標高との差が０以下か（補修起工時の標高が補修計画面の標高以下の凹部の領域か）を判定する。
【００９３】
第２色決定部１１６は、標高差の大きさが０より大きい検知領域及び標高差の大きさが０以下の検知領域の何れかに応じた色を、検知領域ごとに決定する。具体的には、第２色決定部１１６は、標高差の大きさが０より大きい場合、その検知領域の色を寒色に決定し、標高差の大きさが０以下の場合、その検知領域の色を暖色に決定する。
【００９４】
より詳細には、第２色決定部１１６は、標高差の大きさが０より大きい検知領域について、標高差の大きさがａ１（但し、ａ１は０より大きい数）より大きい場合、濃寒色に決定し、標高差の大きさが０より大きく且つａ１以下の場合、薄寒色に決定する。すなわち、第２色決定部１１６は、標高差が大きいほど、濃い寒色に決定する。本実施形態において、ａ１は、例えば５０ミリメートルである。
【００９５】
また、色決定部１１６は、標高差の大きさが０以下の検知領域について、標高差の大きさがａ２（但し、ａ２は０より小さい数）より小さい場合、濃暖色に決定し、標高差の大きさが０より小さく且つａ２より大きい場合、薄暖色に決定する。すなわち、色決定部１１６は、標高差が大きいほど、濃い暖色に決定する。本実施形態において、ａ２は、例えば５０ミリメートルである。
【００９６】
表示制御部１１７は、表示部５に表示される内容を制御する。表示制御部１１７は、例えば３Ｄ画像作成部１２により作成された３Ｄ画像を表示部５に表示する。また、表示制御部１１７は、道路の所定領域の３Ｄ画像に対して、色決定部１１６で決定された色を追加して、路面の所定領域内の各検知領域における標高差を表示部５に表示する。したがって、表示制御部１１７は、道路の所定領域内において同一の検知領域ごとに、補修起工時の標高と補修計画面の標高との差の大きさを、互いに異なる色により表示する。
【００９７】
図１６〜図１８は、路面を例えば１０メートル長さを有する所定領域に区分して、その所定領域に対して第２色決定部１１６で決定された色を追加した画像の例である。図１６は、所定領域ａの状態を示し、図１７は、所定領域ｂの状態を示し、図１８は、所定領域ｃの状態を示す。図１６（ａ）〜図１８（ａ）は、第２色決定部１１６で決定された色を追加したカラー画像であり、図１６（ｂ）〜図１８（ｂ）は、図１６（ａ）〜図１８（ａ）について色の配置を示す概略図である。
【００９８】
上述したように、各所定領域において、補修起工時の標高が補修計画面の標高より低い検知領域は、凹部の領域として暖色（濃暖色または薄暖色）で表示され、補修起工時の標高が補修計画面の標高より高い検知領域は、凸部の領域として寒色（濃寒色または薄寒色）で表示される。
【００９９】
所定領域ａは、図１６（ａ）及び図１６（ｂ）に示すように、左側領域の大部分は、濃暖色で表示され、右側領域の大部分は、薄寒色で表示され、薄寒色の領域の内部に濃寒色の領域が表示される。そのため、所定領域ａの左側領域の大部分は、補修計画面に対して凹部であり、右側領域の大部分は、補修計画面に対して凸部であることが分かる。
【０１００】
所定領域ｂは、図１７（ａ）及び図１７（ｂ）に示すように、その大部分は、薄暖色で表示され、薄暖色の領域の内部に濃暖色の領域が表示され、左右両端部の一部の領域は、薄寒色で表示される。そのため、所定領域ｂの大部分は、補修計画面に対して凹部であり、左右両端部の一部の領域は、補修計画面に対して凸部であることが分かる。
【０１０１】
所定領域ｃは、図１８（ａ）及び図１８（ｂ）に示すように、その大部分は、薄寒色で表示され、車両の車輪が接触する部分は、薄暖色で表示される。そのため、所定領域ｃの大部分は、補修計画面に対して凸部であり、車両の車輪が接触する部分は、補修計画面に対して凹部であることが分かる。
【０１０２】
図１６〜図１８から分かるように、所定領域の色相に基づいて、所定領域ａ、所定領域ｂ、所定領域ｃの凹凸状態はそれぞれ異なっていることが分かる。
【０１０３】
第１比率算出部１１８は、比較部１１５での比較結果に基づいて、標高差の大きさが０より大きい検知領域の比率及び標高差の大きさが０以下の検知領域の比率を算出する。すなわち、第１比率算出部１１８は、補修計画面に対して凹部の領域（暖色の領域）と、補修計画面に対して凸部の領域（寒色の領域）との比率を算出する。本実施形態では、検知領域ごとに色が追加されているため、所定領域の全体を複数の検知領域に区分したときに、第１比率算出部１１８は、所定領域の全体における検知領域の数に対する暖色の検知領域の数（面積）の比率と、所定領域の全体における検知領域の数に対する寒色の検知領域の数（面積）の比率とを算出する。
【０１０４】
第２比率算出部１１９は、比較部１１５での比較結果に基づいて、標高差の大きさが０より大きい検知領域であり且つ標高差の大きさがａ１（但し、ａ１は０より大きい数）より大きい検知領域と、標高差の大きさが０以下の検知領域であり且つ標高差の大きさがａ２（但し、ａ２は０より小さい数）以下の検知領域との合計の比率を算出する。すなわち、第２比率算出部１１９は、所定領域全体に対して、補修計画面に対して標高差が大きい凹部の領域（濃暖色の領域）と、補修計画面に対して標高差が大きい凸部の領域（濃寒色の領域）との合計の比率とを算出する。本実施形態では、第１所定領域にある検知領域の比率として、標高差の大きさが０より大きい検知領域であり且つ標高差の大きさがａ１（但し、ａ１は０より大きい数）より大きい検知領域の比率が使用され、第２所定領域にある検知領域の比率として、標高差の大きさが０以下の検知領域であり且つ標高差の大きさがａ２（但し、ａ２は０より小さい数）以下の検知領域の比率が使用される。
【０１０５】
標高差が大きい凹部の領域と標高差が大きい凸部の領域との合計の比率の算出方法について、図１９に基づいて説明する。図１９は、所定領域の一部の模式図の例であり、６０個の検知領域が図示されている。
【０１０６】
標高差が大きい凹部の領域と標高差が大きい凸部の領域との合計の比率として、所定領域にある全ての検知領域に対する標高差が大きい凹部の領域と標高差が大きい凸部の領域との合計の比率を算出する。すなわち、図１９の模式図では、全ての検知領域の数は、６０個であり、標高差が大きい凹部の領域（濃暖色の領域）である検知領域は、１０個であり、標高差が大きい凸部の領域（濃寒色の領域）である検知領域は、１０個である。よって、標高差が大きい凹部の領域と標高差が大きい凸部の領域との合計の比率は、（１０＋１０）／６０＝０．３３と算出される。
【０１０７】
第３比率算出部１２０は、比較部１１５での比較結果に基づいて、所定領域における標高差の大きさが０より大きい検知領域と標高差の大きさが０以下の検知領域との境界部分（色相境界）の比率を算出する。すなわち、第３比率算出部１２０は、所定領域全体に対して、補修計画面に対して凹部の領域（暖色の領域）と補修計画面に対して凸部の領域（寒色の領域）との色相境界の比率を算出する。
【０１０８】
色相境界の比率の算出方法について、図２０に基づいて説明する。図２０（ａ）は、所定領域ｂについて境界領域を表示した図であり、図２０（ｂ）は、所定領域の一部の模式図の例であり、２５個の検知領域が図示されている。説明上、５行５列の検知領域において、例えば、１行１列にある検知領域をａ１１、１行２列にある検知領域をａ１２として説明する。
【０１０９】
図２０（ｂ）は、検知領域ごとの色をＲＧＢで分解し、Ｒ成分及びＢ成分の割合に基づいて、暖色・寒色のいずれかを判定し、単純化したグリッドにしたものである。すなわち、図２０（ｂ）において、斜線ありの検知領域は、暖色の領域を示し、斜線なしの検知領域は、寒色の領域を示す。
【０１１０】
図２０（ｂ）において、左上から順に全ての検知領域について、左または上に異なる色の検知領域が隣にある場合、その検知領域は、境界領域と判定する。
【０１１１】
具体的には、検知領域ａ１１について、左または上に検知領域がないため、異なる色の検知領域は隣にないと判定する。
検知領域ａ１２について、左に同一の色の検知領域があり、上に検知領域がないため、異なる色の検知領域は隣にないと判定する。
検知領域ａ１４について、左に異なる色の検知領域があるため、異なる色の検知領域は隣にあると判定し、検知領域ａ１４を境界領域と判定する。
以下、全ての検知領域について同様にして、境界領域であるか否かを判定すると、図２０（ｃ）に示すように、５個の検知領域が境界領域と判定される。
【０１１２】
色相境界の比率として、所定領域にある全ての検知領域に対する境界領域の比率を算出する。すなわち、図２０（ｃ）では、全ての検知領域の数は、２５個であり、境界領域の数は、５個であるため、色相境界の比率は、５／２５＝０．２と算出される。よって、同様にして、所定領域全体について色相境界の比率を算出すると、所定領域全体において、色相境界の比率が大きいほど、所定領域に凹部の領域と凸部の領域とが混在している。
【０１１３】
【表１】
2020204601.tif 000003
【０１１４】
表１は、所定領域ａ、所定領域ｂ及び所定領域ｃについて、その所定領域全体に対して、濃暖色、薄暖色、薄寒色、濃寒色の領域の比率、暖色全体（凹部の領域）の比率、寒色全体（凸部の領域）の比率、濃色領域の比率、色相境界の比率を示している。
【０１１５】
（色彩偏向判定）
第１判定部１１８ａは、第１比率算出部１１８で算出された比率に基づいて、所定領域の状態を判定する。すなわち、第１判定部１１８ａは、表１に示した暖色全体の比率と寒色全体の比率とに基づいて、表２に示すように、所定領域の状態を判定する。
【０１１６】
【表２】
2020204601.tif 000004
【０１１７】
表１に示すように、色彩偏向判定として、所定領域ａは不良と判定され、所定領域ｂは良好と判定され、所定領域ｃは不良と判定される。
【０１１８】
（濃色判定）
第２判定部１１９ａは、第２比率算出部１１９で算出された比率に基づいて、所定領域の状態を判定する。すなわち、第２判定部１１９ａは、表１に示した濃色領域の比率に基づいて、表３に示すように、所定領域の状態を判定する。
【０１１９】
【表３】
2020204601.tif 000005
【０１２０】
表１に示すように、濃色判定として、所定領域ａは良好と判定され、所定領域ｂは良好と判定され、所定領域ｃは良好と判定される。
【０１２１】
（境界領域判定）
第３判定部１２０ａは、第３比率算出部１２０で算出された比率に基づいて、所定領域の状態を判定する。すなわち、第３判定部１２０ａは、表１に示した色相境界の比率に基づいて、表４に示すように、所定領域の状態を判定する。
【０１２２】
【表４】
2020204601.tif 000006
【０１２３】
表１に示すように、境界領域判定として、所定領域ａは不良と判定され、所定領域ｂは、可と判定され、所定領域ｃは、不良と判定される。
【０１２４】
よって、色彩偏向判定、濃色判定及び境界領域判定に基づいて、所定領域ｂは、凹凸の比較的少ない領域であるのに対して、所定領域ａ及び所定領域ｃは、凹凸の多い領域であることが分かる。
【０１２５】
本実施形態の標高差検知システム１０１の標高差検知方法について、図２１に基づいて説明する。
【０１２６】
ステップＳ１（点群データ取得ステップ）、ステップＳ２（基準面データ取得ステップ）、ステップＳ３（標高差算出ステップ）及びステップＳ４（画像表示ステップ）については、第１実施形態と同様であるため、詳細説明は省略する。
【０１２７】
ステップＳ１０５（比較ステップ）において、所定領域内の同一の平面位置ごとに、標高差の大きさと所定値とを比較する。本実施形態では、所定値が０であるため、補修計画面に対して凹部または凸部の何れであるかを判定する。
【０１２８】
ステップＳ１０６（第２色決定ステップ）において、第２色決定部１１６により、ステップＳ３により算出された所定領域内の同一の平面位置ごとの標高差の大きさに応じた色が決定される。本実施形態では、凹部の領域について暖色（濃暖色または薄暖色）が決定され、凸部の領域について寒色（濃寒色または薄寒色）が決定される。
【０１２９】
ステップＳ１０７（第２標高差色表示ステップ）において、表示部５に表示された路面の所定領域の３Ｄ画像に対して、ステップＳ１０６で決定された色が追加されて、所定領域における標高差が表示部５に表示される。すなわち、所定領域について凹部の領域と凸部の領域とが表示される。
【０１３０】
ステップＳ１０８（第１比率算出ステップ）において、所定領域における標高差の大きさが０より大きい検知領域の比率及び所定領域における標高差の大きさが０以下の検知領域の比率を算出する。具体的には、補修計画面に対して凹部の領域（暖色の領域）と、補修計画面に対して凸部の領域（寒色の領域）との比率を算出する。
【０１３１】
ステップＳ１０９（第２比率算出ステップ）において、所定領域における濃色領域の合計の比率を算出する。具体的には、濃暖色の領域と濃寒色の領域との合計の比率を算出する。
【０１３２】
ステップＳ１１０（第３比率算出ステップ）において、所定領域における標高差の大きさが０より大きい検知領域と標高差の大きさが０以下の検知領域との境界部分（色相境界）の比率を算出する。具体的には、補修計画面に対して凹部の領域（暖色の領域）と補修計画面に対して凸部の領域（寒色の領域）との色相境界の比率を算出する。
【０１３３】
ステップＳ１１１（第１判定ステップ）において、ステップＳ１０８で算出された比率に基づいて、所定領域の状態を判定する。具体的には、凹部全体の比率と凸部全体の比率とに基づいて、表２に示すように、所定領域の状態を判定する。
【０１３４】
ステップＳ１１２（第２判定ステップ）において、ステップＳ１０９で算出された比率に基づいて、所定領域の状態を判定する。具体的には、濃色領域の合計の比率に基づいて、表３に示すように、所定領域の状態を判定する。
【０１３５】
ステップＳ１１３（第３判定ステップ）において、ステップＳ１１０で算出された比率に基づいて、所定領域の状態を判定する。具体的には、色相境界の比率に基づいて、表４に示すように、所定領域の状態を判定する。
【０１３６】
本実施形態の標高差検知方法において、所定領域内の同一の検知領域ごとに、標高差算出ステップで算出された標高差の大きさと０（所定値）とを比較する比較ステップと、比較ステップでの比較結果に基づいて、所定領域における標高差の大きさが０（所定値）より大きい検知領域の比率及び所定領域における標高差の大きさが０（所定値）以下の検知領域の比率を算出する第１比率算出ステップと、第１比率算出ステップで算出された比率に基づいて、所定領域の状態を判定する第１判定ステップとを備える。
【０１３７】
本実施形態の標高差検知システム１０１において、所定領域内の同一の検知領域ごとに、標高差算出部１４で算出された標高差の大きさと０（所定値）とを比較する比較部１１５と、比較部１１５での比較結果に基づいて、所定領域における標高差の大きさが０（所定値）より大きい検知領域の比率及び所定領域における標高差の大きさが０（所定値）以下の検知領域の比率を算出する第１比率算出部１１８と、第１比率算出部１１８で算出された比率に基づいて、所定領域の状態を判定する第１判定部１１８ａとを備えることを特徴とする。
【０１３８】
これにより、本実施形態の標高差検知方法及び標高差検知システム１０１では、所定領域内の同一の検知領域ごとに標高差の大きさと０（所定値）とを比較した比較結果に基づいて、標高差の大きさが０（所定値）より大きい検知領域の比率、または、標高差の大きさが０（所定値）以下の検知領域の比率を算出し、その比率に基づいて所定領域の状態を判定する。そのため、所定領域の状態が自動的に判定されるため、所定領域の状態を点検員が判定する必要がなくなる。
【０１３９】
本実施形態の標高差検知方法において、点群データ取得ステップで取得された点群データに基づいた３次元画像を表示部に表示する画像表示ステップと、標高差の大きさが０（所定値）より大きい検知領域及び標高差の大きさが０（所定値）以下の検知領域の何れかに応じた色を、検知領域ごとに決定する第２色決定ステップと、画像表示ステップにより表示された３次元画像に対し、第２色決定ステップで決定された色を追加して所定領域における標高差を表示する第２標高差色表示ステップとを備える。
【０１４０】
本実施形態の標高差検知システム１０１において、点群データ記憶部１１ａに記憶された点群データに基づいた３次元画像を表示部５に表示する表示制御部１１７と、標高差の大きさが０（所定値）より大きい検知領域及び標高差の大きさが０（所定値）以下の検知領域の何れかに応じた色を、検知領域ごとに決定する色決定部１１６とを備え、表示制御部１１７は、表示部５に表示された３次元画像に対し、表示部５により表示された３次元画像に対し、色決定部１１６で決定された色を追加して所定領域における標高差を表示する。
【０１４１】
これにより、本実施形態の標高差検知方法及び標高差検知システム１０１では、標高差の大きさが０（所定値）より大きい検知領域と、標高差の大きさが０（所定値）以下の検知領域とが異なる色で表示されるため、所定領域の状態を容易に検知することができる。
【０１４２】
本実施形態の標高差検知方法において、所定領域内の同一の検知領域ごとに、標高差算出ステップで算出された標高差の大きさと０（所定値）とを比較する比較ステップと、比較ステップでの比較結果に基づいて、標高差の大きさが０（所定値）より大きい検知領域について標高差の大きさが０（所定値）より大きい検知領域であり且つ標高差の大きさがａ１（但し、ａ１は０より大きい数）より大きい検知領域（第１所定範囲にある検知領域）と、標高差の大きさが０（所定値）以下の検知領域であり且つ標高差の大きさがａ２（但し、ａ２は０より小さい数）以下の検知領域（第２所定範囲にある検知領域）との合計の比率を算出する第２比率算出ステップと、第２比率算出ステップで算出された比率に基づいて、所定領域の状態を判定する第２判定ステップとを備える。
【０１４３】
本実施形態の標高差検知システムにおいて、所定領域内の同一の検知領域ごとに、標高差算出部１４で算出された標高差の大きさと０（所定値）とを比較する比較部１１５と、比較部１１５での比較結果に基づいて、標高差の大きさが０（所定値）より大きい検知領域であり且つ標高差の大きさがａ１（但し、ａ１は０より大きい数）より大きい検知領域と、標高差の大きさが０（所定値）以下の検知領域であり且つ標高差の大きさがａ２（但し、ａ２は０より小さい数）以下の検知領域との合計の比率を算出する第２比率算出部１１９と、第２比率算出部１１９で算出された比率に基づいて、所定領域の状態を判定する第２判定部１１９ａとを備える。
【０１４４】
これにより、本実施形態の標高差検知方法及び標高差検知システムでは、所定領域内の同一の検知領域ごとに標高差の大きさと０（所定値）とを比較した比較結果に基づいて、標高差の大きさが非常に大きい検知領域の比率を算出し、その比率に基づいて所定領域の状態を判定する。そのため、所定領域の状態が自動的に判定されるため、所定領域の状態を点検員が判定する必要がなくなる。
【０１４５】
本実施形態の標高差検知方法において、点群データ取得ステップで取得された点群データに基づいた３次元画像を表示部に表示する画像表示ステップと、標高差の大きさが０より大きい検知領域であり且つ標高差の大きさがａ１（但し、ａ１は０より大きい数）より大きい検知領域（第１所定範囲にある検知領域）、または、標高差の大きさが０以下の検知領域であり且つ標高差の大きさがａ２（但し、ａ２は０より小さい数）以下の検知領域（第２所定範囲にある検知領域）の何れかに応じた色を、検知領域ごとに決定する第３色決定ステップと、画像表示ステップにより表示された３次元画像に対し、第３色決定ステップで決定された色を追加して所定領域における標高差を表示する第３標高差色表示ステップとを備える。
【０１４６】
本実施形態の標高差検知方法において、点群データ記憶手段に記憶された点群データに基づいた３次元画像を表示部に表示する表示制御部１１７と、標高差の大きさが０より大きい検知領域であり且つ標高差の大きさがａ１（但し、ａ１は０より大きい数）より大きい検知領域（第１所定範囲にある検知領域）、または、標高差の大きさが０以下の検知領域であり且つ標高差の大きさがａ２（但し、ａ２は０より小さい数）以下の検知領域（第２所定範囲にある検知領域）の何れかに応じた色を、検知領域ごとに決定する色決定部１１６と、表示制御部１１７は、画像表示手段により表示された３次元画像に対し、色決定部１１６で決定された色を追加して所定領域における標高差を表示する。
【０１４７】
これにより、本実施形態の標高差検知方法及び標高差検知システムでは、標高差の大きさが非常に大きい検知領域が、それに応じた色で表示されるため、所定領域の状態を容易に検知することができる。
【０１４８】
本実施形態の標高差検知方法において、所定領域内の同一の検知領域ごとに、標高差算出ステップで算出された標高差の大きさと０（所定値）とを比較する比較ステップと、比較ステップでの比較結果に基づいて、所定領域における標高差の大きさが０（所定値）より大きい検知領域と標高差の大きさが０（所定値）以下の検知領域との境界部分の比率を算出する第３比率算出ステップと、第３比率算出ステップで算出された比率に基づいて、所定領域の状態を判定する第３判定ステップとを備える。
【０１４９】
本実施形態の標高差検知システム１０１において、所定領域内の同一の検知領域ごとに、標高差算出部１４で算出された標高差の大きさと０（所定値）とを比較する比較部１１５と、比較部１１５での比較結果に基づいて、所定領域における標高差の大きさが０（所定値）より大きい検知領域と標高差の大きさが０（所定値）以下の検知領域との境界部分の比率を算出する第３比率算出部１２０と、第３比率算出部１２０で算出された比率に基づいて、所定領域の状態を判定する第３判定部１２０ａとを備える。
【０１５０】
これにより、本実施形態の標高差検知方法及び標高差検知システム１０１では、所定領域内の同一の検知領域ごとに標高差の大きさと０（所定値）とを比較した比較結果に基づいて、標高差の大きさが０（所定値）より大きい検知領域と、標高差の大きさが０（所定値）以下の検知領域との境界部分の比率を算出し、その比率に基づいて所定領域の状態を判定する。そのため、所定領域の状態が自動的に判定されるため、所定領域の状態を点検員が判定する必要がなくなる。
【０１５１】
以上、本発明の実施形態を説明したが、各部の具体的な構成は上述した実施形態のみに限定されるものではなく、本発明の趣旨を逸脱しない範囲で種々変形が可能である。
【０１５２】
上記第１実施形態では、所定位置が指定された場合に、その所定位置の標高差を示す数値、及び、所定位置近傍において同一の標高差である部分を示す線で囲まれた領域の面積を示す数値が表示されているが、本発明は、所定位置の標高差を示す数値、及び、所定位置近傍において同一の標高差である部分を示す線で囲まれた領域の面積を示す数値の少なくとも一方が表示されるものを含む。
【０１５３】
上記第１実施形態では、路面の所定領域内の各平面位置について、図２２（ａ）に示すように、道路の補修起工時と補修計画面との標高差を複数の色により表示部５に表示する場合を説明したが、図２２（ｂ）に示すように、道路の補修後と補修計画面との標高差を複数の色により表示部５に表示することも可能である。その場合、道路の補修後において、３Ｄスキャナ２により道路の路面の所定領域における各点についての点群データが取得されて、その点群データが点群データ記憶部１１に記憶され、道路の補修後と補修計画面との標高差が算出される。補修起工時は、図２２（ａ）に示すように、補修計画面との標高差が大きい箇所があるのに対し、補修後は、図２２（ｂ）に示すように、補修計画面との標高差が大きい箇所がほとんどないことから、道路の補修が補修計画に基づいて行われたことを示している。
【０１５４】
上記第１実施形態では、使用者が表示部５の表示面５ａを押すことにより所定位置が指定されるが、所定位置を指定する方法は、これに限られない。したがって、標高差検知装置１０が操作部を有しており、使用者が操作部を操作することにより、所定領域内にある所定位置が指定されてよい。
【０１５５】
上記第２実施形態では、所定領域内の同一の平面位置ごとに標高差の大きさと所定値である０とを比較し、補修起工時の標高が補修計画面の標高より低い領域を凹部とし、補修起工時の標高が補修計画面の標高より高い領域を凸部としたが、それに限られない。例えば、標高差の大きさを比較する所定値は、０以外の値でもよい。
【０１５６】
上記第２実施形態では、補修起工時の標高が補修計画面の標高より低い領域を、暖色（濃暖色または薄暖色）で表示し、補修起工時の標高が補修計画面の標高より高い領域を、寒色（濃寒色または薄寒色）で表示したが、それに限られない。例えば、各領域を表示する色は、任意である。
【０１５７】
上記第２実施形態では、第１比率算出部１１８、第２比率算出部１１９及び第３比率算出部１２０について、それぞれの比率の算出方法の例を説明したが、それらの比率の算出方法は、それに限られない。上記第２実施形態では、第１判定部１１８ａ、第２判定部１１９ａ及び第３判定部１２０ａについて、それぞれの判定方法の例を説明したが、それらの判定方法は、それに限られない。
【０１５８】
上記第２実施形態では、所定領域の状態を色彩偏向判定、濃色判定及び色相境界判定により判定したが、所定領域の状態を色彩偏向判定、濃色判定及び色相境界判定の少なくとも１つにより判定してよい。
【０１５９】
上記第１及び第２実施形態では、標高差算出部１４において、補修起工時における道路の路面の所定領域内の各点についての点群データと、路面の所定領域を補修する際の補修計画面を示す計画面データである基準面データとに基づいて、路面の所定領域内の同一の平面位置ごとに標高差を算出しているが、基準面データとして、路面の所定領域を補修する際の補修計画面を示す計画面データの代わりに、路面の所定領域が新設されたときの路面データ、または、路面の所定領域が補修されたときの路面データを使用してよい。
【０１６０】
すなわち、本発明の標高差検知方法、標高差検知システム及び標高差検知プログラムでは、補修起工時における道路の路面の所定領域内の各点についての点群データと、所定領域が新設されたときの路面データまたは所定領域が補修されたときの路面データである基準面データとに基づいて、路面の所定領域内の同一の平面位置ごとに標高差を算出してよい。所定領域が新設または補修されたときの路面データとは、そのときの路面の表面状態を示すデータであり、所定領域が新設または補修されたときの所定領域内の各平面位置の標高を示すデータである。例えば３次元走査装置（３Ｄスキャナ）により、路面の所定領域が新設された後または補修された後において、路面の所定領域内の各点についての点群データを取得している場合、その点群データに基づいた路面データを基準面データとして路面の所定領域内の同一の平面位置ごとに標高差を算出してよい。その場合、所定領域が新設された後または補修された後の路面の表面状態は、掘れなどの損傷がほとんどない状態であるが、補修起工時の標高を、所定領域が新設された後または補修された後の路面データと比較することにより、所定領域が新設された後または補修された後において、掘れなどの損傷により形成された路面の凹凸を検知可能である。
【符号の説明】
【０１６１】
１  標高差表示システム（標高差表示システム）
２  ３Ｄスキャナ（３次元走査装置）
５  表示部
５ａ  表示面（操作検出手段）
１０  標高差検知装置
１１  点群データ受付部（点群データ受付手段）
１１ａ  点群データ記憶部（点群データ記憶手段）
１２  ３Ｄ画像作成部
１３  計画面データ受付部（基準面データ受付手段）
１３ａ  計画面データ記憶部（基準面データ記憶手段）
１４  標高差算出部（標高差算出手段）
１５  第１色決定部（第１色決定手段）
１６  表示制御部（表示制御手段）
１０１  標高差表示システム（標高差表示システム）
１１０  標高差検知装置
１１５  比較部（比較手段）
１１６  色決定部（第２色決定手段、第３色決定手段）
１１７  表示制御部（表示制御手段）
１１８  第１比率算出部（第１比率算出手段）
１１８ａ  第１判定部（第１判定手段）
１１９  第２比率算出部（第２比率算出手段）
１１９ａ  第２判定部（第２判定手段）
１２０  第３比率算出部（第３比率算出手段）
１２０ａ  第３判定部（第３判定手段）
【図１】
2020204601.tif 000007
【図２】
2020204601.tif 000008
【図３】
2020204601.tif 000009
【図４】
2020204601.tif 000010
【図５】
2020204601.tif 000011
【図６】
2020204601.tif 000012
【図７】
2020204601.tif 000013
【図８】
2020204601.tif 000014
【図９】
2020204601.tif 000015
【図１０】
2020204601.tif 000016
【図１１】
2020204601.tif 000017
【図１２】
2020204601.tif 000018
【図１３】
2020204601.tif 000019
【図１４】
2020204601.tif 000020
【図１５】
2020204601.tif 000021
【図１６】
2020204601.tif 000022
【図１７】
2020204601.tif 000023
【図１８】
2020204601.tif 000024
【図１９】
2020204601.tif 000025
【図２０】
2020204601.tif 000026
【図２１】
2020204601.tif 000027
【図２２】
2020204601.tif 000028